(57)【要約】      （修正有）【課題】ベースからの本体の抜け防止と、スプリング挿脱機能を保ちながら、安価なプランジルータを提供する。【解決手段】ガイド体３のベース４側端部にネジ溝８を設けると共に、該ネジ溝８に螺合し、且つスプリング２のベース４側下端と当接する締結部材７を設け、更にベース４下端に着脱可能で、ベース４への取付け時に締結部材７をベース４の一部とで挟むように位置するサブベース５を設けた。【選択図】図２
2007090778.tif 000002
【特許請求の範囲】
【請求項１】
モータと、該モータを収容する本体と、該本体下方に位置し加工材上面を摺動可能なベースと、該ベースに設けられ、前記本体の一部と接触して前記ベースに対する前記本体の上下動をガイドするガイド体と、前記本体と前記ベースとの間に配置され、前記ベースから離間する方向に前記本体を付勢するスプリングと、前記ベースに対する前記本体の上下位置を固定する固定手段を有した構成をしたルータであって、
前記ガイド体のベース側端部にネジ溝を設けると共に、該ネジ溝に螺合し、且つ前記スプリングの前記ベース側下端と当接する締結部材を設け、更に前記ベース下端に着脱可能で、前記ベースへの取付け時に前記締結部材を前記ベースの一部とで挟むように位置するサブベースを設けたことを特徴とするルータ。
【請求項２】
前記締結部材はフランジ部を有し、前記ベースは前記フランジ部と同形状の段差部を有することを特徴とする請求項１記載のルータ。
【発明の詳細な説明】
【技術分野】
【０００１】
本発明は、ベースにガイド体を備えたルータに関するものである。
【背景技術】
【０００２】
プランジタイプのルータの構造を図１、図５に示す。
【０００３】
通常、プランジルータは、モータを収容する本体１を、ガイド体３を有しているベース４で支えており、本体１はガイド体３に沿って上下動し、本体１に収納されたモータの先端に取り付けられた刃物１１の切込み深さを変える構造となっている。このガイド体３の中には本体１とベース４を引離す方向に力を加えているスプリング２が収められており、本体１の上下動を補助している。（例えば、特許文献１参照）
【特許文献１】特開２００１−１２１５０４号公報
【発明の開示】
【発明が解決しようとする課題】
【０００４】
上記した従来のルータでは、切削時に全体に多大な振動が加わるため、本体を直接支持しているガイド体３は抜けないようにベース４に圧接された上で、ガイド体３とベース４にピン１２を貫通して、ベース４に固定される構造となっている。
【０００５】
また、このようなプランジタイプのルータは、被削材の上を摺動する手持ち作業と、本体１を逆さにしてテーブル下部に取りつけた状態で使用するテーブル作業がある。テーブル作業時には、前記スプリング力により本体１の上下動を行うのが困難であるため、図５に示す本体１の上部より、スプリング２が取外せるようになっている。
【０００６】
このように、従来のルータでは、ガイド体３をベース４に固定するためにピン１２を必要とすると共に、本体１の上部よりスプリング２が取り外せる構成となっていた。
【０００７】
本発明の目的は、ガイド体の抜け防止とスプリング取外しの二つの機能を簡単な構成で実現し、安価なプランジルータを提供することである。
【課題を解決するための手段】
【０００８】
上記目的は、ガイド体のベース側端部にネジ溝を設けると共に、該ネジ溝に螺合し、且つスプリングのベース側下端と当接する締結部材を設け、更にベース下端に着脱可能で、ベースへの取付け時に締結部材をベースの一部とで挟むように位置するサブベースを設けることにより達成される。
【発明の効果】
【０００９】
本発明により、従来の機能を損なわずに、より安価なプランジルータを提供できる。
【発明を実施するための最良の形態】
【００１０】
本発明ルータの一実施形態を図１〜図４を用いて説明する。
【００１１】
本発明ルータは、図示しないモータを収容する本体１と、本体１下方に位置し加工材上面を摺動可能なベース４と、ベース４に設けられ、本体１の一部と接触してベース４に対する本体１の上下動をガイドするガイド体３と、本体１とベース４との間に配置され、ベース４から離間する方向に本体１を付勢するスプリング２と、ベース４に対する本体の上下位置を固定する図示しない固定手段を有した構成をしている。
【００１２】
ガイド体３は円筒形状をしており、ベース４に設けられた穴部６に圧接され配置されている。
【００１３】
本発明ルータでは、図に示すようにガイド体３下端に締結部材７が取付けられていると共に、ベース４下端に着脱可能なサブベース５が設けられており、締結部材７下端にサブベース５の上面が当接可能となっている。サブベース５はサブベース５下端より頭部が突出しないように設けられるネジなどの固定部材によってベース４に着脱可能に固定される。
【００１４】
ガイド体３の下端内側にはネジ溝８が設けられており、そのネジ溝８に締結部材７のネジ部９が螺合することでガイド体３と締結部材７とは係合されている。
【００１５】
締結部材７には、図２及び図４に示すように下端にガイド体３の外形よりも外側に突出したフランジ部１０が設けられている。
【００１６】
また、ベース４の穴６下端にはフランジ部１０とほぼ同形状をした段差部６ａが形成されており、組み立て時にはフランジ部１０が段差部６ａと面接触するようになっている。
【００１７】
ガイド体３の内部に挿入されたスプリング２は上端が本体１の一部と当接し、下端が締結部材７に当接する。
【００１８】
図２及び図４に示すように、サブベース５とベース４とによって締結部材７が挟まれるように配置されていることにより、ガイド体３のベース４に対する位置決め及び抜け止めがなされていると共に、本体１を逆さにしてテーブル下部に取りつけた状態で使用するテーブル作業を行う際には、サブベース５をベース４より取り外して、締結部材７をガイド体３から取り外せば、スプリング２を取り外すことができる。
【００１９】
このように、本発明によれば、ガイド体の抜け防止とスプリング取外しの二つの機能を簡単な構成で実現することができ、安価なルータを提供することができる。
【００２０】
なお、本体１を取付けるテーブルにもよるが、テーブル作業時には、サブベース５を取り外すした上で本体１をテーブル取付ける場合が多く、テーブル作業時のセッティングに要する作業が従来よりも作業性が良いものである。
【００２１】
なお、上記した実施形態においては、スプリング２を円筒形状をしたガイド体３の内部に装填する構成としたが、ガイド体３の外周位置に配される構成としてもよいものである。
【図面の簡単な説明】
【００２２】
【図１】ルータの正面図。
【図２】本発明ルータの一実施形態を示す要部拡大断面図。
【図３】本発明ルータを構成する締結部材の一実施形態を示す拡大図。
【図４】図２の要部拡大図。
【図５】従来のルータの一例を示す要部拡大断面図。
【符号の説明】
【００２３】
１は本体、２はスプリング、３はガイド体、４はベース、５はサブベース、６はベース穴部、７は締結部材、８はネジ溝、９はネジ部、１０はフランジ部、１１は刃物、１２はピンである。
【図１】
2007090778.tif 000003
【図２】
2007090778.tif 000004
【図３】
2007090778.tif 000005
【図４】
2007090778.tif 000006
【図５】
2007090778.tif 000007